(57)【要約】【課題】別部材を用いることなく遊技領域を広くすることができ、広くなった遊技領域上の部材配置等の自由度が高い遊技機の提供を目的とする。【解決手段】前面に遊技領域を有する遊技盤３と、遊技盤３を収納可能な前面枠体Ｆ２と、前面枠体Ｆ２が回動可能に固定された外枠体Ｆ１とを備え、外枠体Ｆ１は前面枠体Ｆ２の周囲を囲むように上下側板と左右側板とで少なくとも構成され、前面枠体Ｆ２は、遊技領域６を前面側へ露出させた状態で遊技盤３を収納可能な収納部２１１を備えると共に収納部２１１の側方面あるいは上方面の少なくとも一方に前面枠体Ｆ２の外方側へ突出した突出部２１５を備え、外枠体Ｆ１は突出部２１５と嵌合する切り欠き部１１１を備える。【選択図】図２
2009082410.tif 000002
【特許請求の範囲】
【請求項１】
遊技領域を有する遊技盤と、
前記遊技盤を収納可能な前面枠体と、
前記前面枠体が回動可能に固定された外枠体と、
を備えた遊技機において、
前記外枠体は前記前面枠体の周囲を囲むように上下側板と左右側板とで少なくとも構成され、
前記前面枠体は、前記遊技領域を前面側へ露出させた状態で前記遊技盤を収納可能な収納部を備えると共に前記収納部が側方あるいは上方の少なくとも一方に前記前面枠体の外方側へ突出した突出部を備え、
前記外枠体は、前記突出部と嵌合する切り欠き部を備えていることを特徴とする遊技機。
【請求項２】
前記突出部が前記切り欠き部と嵌合した場合に、前記嵌合部位における前記前面枠体の外面と前記外枠体の外面が同一平面を形成することを特徴とする請求項１に記載の遊技機。
【請求項３】
前記収納部は前記遊技盤の周囲の少なくとも一部を包囲する壁部を有し、
前記壁部の少なくとも一部が前記突出部であることを特徴とする請求項１または２に記載の遊技機。
【請求項４】
前記切り欠き部は、前記遊技盤の縁の厚み以上の深さとされると共に前記遊技盤の一辺の長さ以上の長さで形成されていることを特徴とする請求項１から３の何れか一項に記載の遊技機。
【請求項５】
前記外枠体と前記前面枠体は一側端部で前記外枠体の上下軸部材により回動可能に連結され、
前記切り欠き部は前記上下軸部材の間に形成され、
前記上下軸部材は内向きに向かい合う軸部で構成されていることを特徴とする請求項１から４の何れか一項に記載の遊技機。
【請求項６】
前記前面枠体が前記外枠体に対し回動して前記突出部が前記切り欠き部に嵌合した際に前記外枠体と係合する鍵部材を前記前面枠体に備え、
前記鍵部材は前記収納部の周囲に配置されると共に、前記切り欠き部内に位置するように構成されていることを特徴とする請求項１から５の何れか一項に記載の遊技機。
【発明の詳細な説明】
【技術分野】
【０００１】
本発明は、遊技領域を有する遊技盤が収納された遊技機に関する。
【背景技術】
【０００２】
パチンコ遊技機等の遊技機には、遊技盤を収納可能な前面枠体が外枠体に回動可能に固定されたものがある。遊技盤には、遊技球等が転動する遊技領域が形成されている。
【０００３】
ところが、従来の遊技機においては、遊技の興趣を高めるため等の理由から遊技領域を広くしようとしても、遊技店の設置スペース等の関係から遊技枠の大きさには制限があるため、遊技機に収納できる遊技盤の大きさが制限され、遊技領域を広げることが難しかった。
【０００４】
また、限られた遊技枠の中で遊技領域を広くするため、遊技盤に連接する連接部材を設け、遊技盤と連接部材によって、遊技に用いられる構造物を遊技領域内に形成することが提案されている（特許文献１）。
【特許文献１】特開２００５−８１０９７号公報
【０００５】
しかし、遊技盤と連接部材とによって遊技に用いられる構造物を形成する遊技機にあっては、遊技盤と連接部材とによって形成される構造物の種類や位置に制限を生じるため、遊技領域が広くなっても遊技領域上の部材配置等の自由度が狭く、しかも遊技領域に遊技盤と連接部材との境界が発生するため、遊技領域表面のデザイン等が難しくなるおそれがある。また、余分な連接部材を設けねばならないため、コストアップになるおそれもある。それらに加えて、さらに遊技領域を広くすることも求められている。
【発明の開示】
【発明が解決しようとする課題】
【０００６】
本発明は、前記の点に鑑みなされたものであり、別部材を用いることなく遊技領域を広くすることができ、広くなった遊技領域上の部材配置等の自由度が高い遊技機の提供を目的とする。
【課題を解決するための手段】
【０００７】
請求項１の発明は、遊技領域を有する遊技盤と、前記遊技盤を収納可能な前面枠体と、前記前面枠体が回動可能に固定された外枠体と、を備えた遊技機において、前記外枠体は前記前面枠体の周囲を囲むように上下側板と左右側板とで少なくとも構成され、前記前面枠体は、前記遊技領域を前面側へ露出させた状態で前記遊技盤を収納可能な収納部を備えると共に前記収納部が側方あるいは上方の少なくとも一方に前記前面枠体の外方側へ突出した突出部を備え、前記外枠体は、前記突出部と嵌合する切り欠き部を備えていることを特徴とする。
【０００８】
請求項２の発明は、請求項１において、前記突出部が前記切り欠き部と嵌合した場合に、前記嵌合部位における前記前面枠体の外面と前記外枠体の外面が同一平面を形成することを特徴とする。
【０００９】
請求項３の発明は、請求項１または２において、前記収納部は前記遊技盤の周囲の少なくとも一部を包囲する壁部を有し、前記壁部の少なくとも一部が前記突出部であることを特徴とする。
【００１０】
請求項４の発明は、請求項１から３の何れか一項において、前記切り欠き部は、前記遊技盤の縁の厚み以上の深さとされると共に前記遊技盤の一辺の長さ以上の長さで形成されていることを特徴とする。
【００１１】
請求項５の発明は、請求項１から４の何れか一項において、前記外枠体と前記前面枠体は一側端部で前記外枠体の上下軸部材により回動可能に連結され、前記切り欠き部は前記上下軸部材の間に形成され、前記上下軸部材は内向きに向かい合う軸部で構成されていることを特徴とする。
【００１２】
請求項６の発明は、請求項１から５の何れか一項において、前記前面枠体が前記外枠体に対し回動して前記突出部が前記切り欠き部に嵌合した際に前記外枠体と係合する鍵部材を前記前面枠体に備え、前記鍵部材は前記収納部の周囲に配置されると共に、前記切り欠き部内に位置するように構成されていることを特徴とする。
【発明の効果】
【００１３】
請求項１の発明によれば、遊技盤の収納部を広く構成することが可能となるため、遊技盤を大きくして遊技領域をより広くすることが可能となる。さらに、従来技術のような連接部材を遊技盤と連接させて設けることによって遊技に用いられる構造物を形成しなくても、遊技領域を広くすることが可能なため、遊技領域上の部材配置等の自由度が広く、しかも遊技領域には遊技盤と連接部材との境界が存在しないことから、遊技領域表面のデザイン等の自由度が高く、さらに、余分な連接部材を設けなくても遊技領域を広くできることから、コストアップを抑えることが可能である。
【００１４】
請求項２の発明によれば、遊技機の外寸を変えることなく遊技領域をより広く構成することが可能となると共に、遊技機の側面に凹凸を無くすことができ、十分な強度を確保することが可能となる。
【００１５】
請求項３の発明によれば、収納部は遊技盤の周囲の少なくとも一部を包囲する壁部を有し、前記壁部の少なくとも一部が前面枠体の外方側へ突出した突出部を構成することとし、前記突出部が外枠体の切り欠き部と嵌合する構成としたことにより、収納部に収納される遊技盤をより大きくして遊技領域を広くすることが可能となる。
【００１６】
請求項４の発明によれば、外枠体の切り欠き部が遊技盤の縁の厚み以上の深さとされると共に遊技盤の一辺の長さ以上の長さで形成されていることにより、前面枠体の収納部に収納された遊技盤の一部が外枠体の切り欠き部に配置されるようにすることが可能となり、遊技盤をより大きくして遊技盤の遊技領域を広くすることが可能である。
【００１７】
請求項５の発明によれば、外枠体に切り欠き部を設けることにより外枠体の強度が低下し、前面枠体を支える外枠体に荷重がかかって外枠体が撓み、外枠体の上側の軸部が下方へ変位することがあっても、上下の軸部を何れも上向きに設けた場合と異なり、本発明では軸部を向かい合わせて内向きに配置していることにより、前面枠体と係合している外枠体の上側の軸部が係合解除されてしまう不具合の発生を抑制することが可能となる。
【００１８】
請求項６の発明によれば、前面枠体が外枠体に対し回動して突出部が切り欠き部に嵌合した際に外枠体と係合する鍵部材を前面枠体に備えた場合でも、鍵部材を切り欠き部内に配置することにより、収納部をより広く構成することが可能となる。
【発明を実施するための最良の形態】
【００１９】
以下添付の図面に基づき本発明の好適な実施形態を説明する。図１は本発明の一実施例に係る遊技機について遊技盤の釘を省略して示す正面図、図２は同遊技機の斜視図、図３は同遊技機の分解斜視図、図４は同遊技機においてガラス枠を除いた状態を示す斜視図、図５は同遊技機の前面枠体開放状態を示す斜視図、図６は同遊技機の外枠体と前面枠体を示す斜視図、図７は切り欠き部を両側に設けた例の外枠体と前面枠体を示す斜視図、図８は切り欠き部を両側に設けた例の前面枠体開放状態を示す斜視図である。
【００２０】
図１から図３に示す本実施例の遊技機１は、遊技媒体として遊技球を用いるパチンコ遊技機であって、外枠体Ｆ１と、前記外枠体Ｆ１の一側端部に回動可能に軸着された合成樹脂製の前面枠体Ｆ２と、前記前面枠体Ｆ２の裏側（背面側）に取り付けられた遊技盤３と、前記前面枠体Ｆ２における前記遊技盤３の裏側に取り付けられた機構板Ｆ３と、前記前面枠体Ｆ２の前側（遊技者側）に取り付けられたガラス枠Ｇとよりなる。
【００２１】
外枠体Ｆ１は側枠とも称され、前記遊技機１を遊技店に固定する際に固定される枠体である。また、前記遊技機１の背面側は、遊技機１を遊技店に設置した後で、遊技機１のメンテナンスや、前記遊技盤３の入れ替え等の際に露出する必要があるため、前記外枠体Ｆ１に前記前面枠体Ｆ２を回動可能に取り付けておくことで、前記遊技機１の背面側を容易に露出させることが可能とされている。
【００２２】
前記外枠体Ｆ１は、図２及び図６に示すように、上下左右の側板１０１〜１０４で少なくとも構成された枠形状からなる。本実施例では、前記上下左右の側板１０１〜１０４は、木製の板状部材からなるが、アルミ等の金属や樹脂等で構成してもよい。
【００２３】
前記上下左右の側板１０１〜１０４の少なくとも一つにはコの字状に切り欠かれた切り欠き部１１１が形成されている。本実施例では、遊技機前面側から見て左側に位置する左側板１０３に、上下略１／２の位置から上端付近までの範囲で切り欠き部１１１が形成されている。前記切り欠き部１１１は、前記左側板１０３の前面側を開口端として形成され、深さ（外枠体Ｆ１の前後方向に沿う切り欠き部１１１の深さ）Ｄが、前記遊技盤３の縁の厚み（遊技盤３において表示装置９等の装置が位置しない縁の部分の板厚）ｔ以上、長さ（本実施例では切り欠き部１１１の上下長さ）Ｌが、前記遊技盤３の一辺（遊技盤３において前記切り欠き部１１１側となる一辺）の長さｆ（本実施例では上下長さ）以上とされている。
【００２４】
前記外枠体Ｆ１に切り欠き部１１１を設けたことにより、後述する前面枠体Ｆ２の収納部２１１の一部が前記切り欠き部１１１に配置可能とすることで、前面枠体Ｆ２の収納部２１１をより広くすることが可能となり、さらに、後述する前面枠体Ｆ２の収納部２１１の周囲に配置されている鍵部材等を切り欠き部１１１内に位置するようにすることで、前面枠体Ｆ２の収納部２１１をより広くすることが可能となる。
【００２５】
本実施例では、前記切り欠き部１１１を前記側板１０１〜１０４のうち左側の側板１０３のみに設けているが、左右両側の側板１０３，１０４に設けたり、上下の側板の一方あるいは両方、さらには左右の側板と上下の側板の両方に設けたりしてもよい。
【００２６】
前記外枠体Ｆ１の一側（本実施例では遊技機前面側から見て左側）には、図６にも示すように、上下軸部材１２１，１２２が上下に所定間隔開けて設けられている。前記上下軸部材１２１，１２２は、内向きに向かい合う（すなわち本実施例では上下に向かい合う）軸部で構成されている。本実施例では、上側の上下軸部材１２１は、前記外枠体Ｆ１の左側上端に固定された板状の上側軸支持部１２１ａに下向きで設けられている。一方、下側の上下軸部材１２２は、前記外枠体Ｆ１の左側における下端から所定距離の位置に固定された板状の下側軸支持部１２２ａに上向きで設けられている。前記上下軸部材１２１，１２２は、後述するように前面枠体Ｆ１を回動可能に軸支する。また、前記外枠体Ｆ１において前記上下軸部材１２１，１２２が設けられている側とは反対側には、前記前面枠体Ｆ２の鍵部材２３０と係合する金属片１２４，１２５が設けられている。
【００２７】
前記前面枠体Ｆ２は、絶縁性の合成樹脂によって一体成形されたもので、中央上部の裏側（遊技機背面側）に、前記遊技盤３を収納する収納部２１１が形成されている。前記収納部２１１内には、後述する遊技盤３の前面側に形成されている外側ガイドレール４の外周に合致する円形の開口部Ｆ２１が形成されている。前記開口部Ｆ２１からは、後述の遊技領域６が遊技機１の前面側へ露出する。前記収納部２１１は、前記遊技盤３の周囲の少なくとも一部を包囲する壁部２１３を有する。前記壁部２１３の一部、本実施例では前記収納部２１１の側方の部分が前記前面枠体Ｆ２の外方側へ突出した突出部２１５を構成している。
【００２８】
本実施例における前記収納部２１１の壁部２１３は、前記前面枠体Ｆ２の背面から遊技機の後方へ向けて立設された収納部外周壁に相当し、前記壁部２１３で包囲された内側部分に前記開口部Ｆ２１が形成されている。また、前記収納部２１１において前記開口部Ｆ２１と前記壁部２１３との間の開口周縁背面部２１４は、前記収納部２１１に前記遊技盤３を収納した際に、前記遊技盤３の前面における前記外側ガイドレール４より外方の遊技盤周縁（遊技領域６の外側の部分）と当接し、前記遊技盤３を収納した後に遊技盤３の背面を抑える遊技盤押さえ（図示せず）と前記の開口周縁背面部２１４とによって遊技盤３を挟持して前面枠体Ｆ２に固定するように構成されている。
【００２９】
前記収納部２１１における前記突出部２１５は、前記前面枠体Ｆ２が前記外枠体Ｆ１に対して回動し、前記外枠体Ｆ１との間を閉じた際（すなわち外枠体Ｆ１に対して閉鎖された際）に、前記外枠体Ｆ１の切り欠き部１１１と嵌合するように構成されている。本実施例の前記突出部２１５は、前記切り欠き部１１１の位置と対応させて、前記前面枠体Ｆ２の左側へ突出して形成されている。また、前記突出部２１５は、前記切り欠き部１１１と正規の位置で嵌合した場合に、図２及び図４に示すように、嵌合部位１２７における前記前面枠体Ｆ２の外面２１６と前記外枠体Ｆ１の外面１１２が同一平面を形成するように構成されている。すなわち、前記突出部２１５は、前記前面枠体Ｆ２が回動して前記外枠体Ｆ１との間を閉じた場合に、前記嵌合部位１２７において前記前面枠体Ｆ２の突出部の外面２１６と前記外枠体Ｆ１の切り欠き部の周縁外面１１２が同一平面（面一）を形成するように構成されている。つまり、前記収納部２１１を形成する突出部２１５は切り欠き部１１１と嵌合する位置まで前面枠体Ｆ２の外方側に配置される構成であることから、遊技機１の外寸法は変えることなく収納部２１１の大きさをより大きくすることが可能となる。
【００３０】
本実施例では、前記壁部２１３は前記遊技盤３の周囲を包囲するものとしたが、前記遊技盤３の周囲の一部を包囲したり、分断した複数の壁部で構成したりしてもよい。そして、前記突出部が前記収納部の側方あるいは上方の少なくとも一方において、前記前面枠体Ｆ２の外方側へ突出した部分で構成される。また、前記収納部２１１における前記遊技盤３の固定は、前記遊技盤３にリブや壁部を貫通する孔を形成してネジ等で遊技盤３を固定するようにしてもよい。
【００３１】
前記前面枠体Ｆ２における前記収納部２１１の周囲には、前記前面枠体Ｆ２が前記外枠体Ｆ１に対し回動して前記突出部２１５が前記切り欠き部１１１に嵌合した際に前記外枠体Ｆ１と係合する鍵部材２３０を備える。前記鍵部材２３０は、前記前面枠体Ｆ２の前面に設けられた鍵孔２３１に鍵を差し込んで回転させることにより上下する上下に細長い部材で構成され、前記鍵を一方向へ回転させることにより、上下の一方向へスライドして前記外枠体Ｆ１に設けられている前記金属片１２４，１２５と係合して施錠し、一方、反対の方向へ鍵を回転させると、反対方向へスライドして前記外枠体Ｆ１の金属片１２４，１２５との係合を解除し、前記前面枠体Ｆ２を前記ガラス枠Ｇと共に前記外枠体Ｆ１に対して回動可能にする。
【００３２】
前記前面枠体Ｆ２の下部には、図６に示すように、遊技球発射装置取付部２３２と前面下部ユニット取付部２３３を有する。前記遊技球発射装置取付部２３２には、遊技球を遊技領域へ発射するための遊技球発射装置５０が背面側から取り付けられ、遊技球発射装置５０の操作ハンドル５１が前面側に取り付けられる。また、前記前面下部ユニット取付部２３３には、後述するガラス枠Ｇの前面下部に取り付けられている上側球受け皿３６の飽和時に遊技球を受けるための下側球受け皿３７を有する前面下部ユニット２３５が取り付けられる。前記前面下部ユニット２３５の右端付近を貫通して前記遊技球発射装置５０の操作ハンドル５１が取り付けられる。
【００３３】
また、前記前面枠体Ｆ２における一側の上部には、上側軸挿通孔２４２が形成された上側軸係合金具２４１が取り付けられ、一方、下部には下側軸挿通孔２４４が形成された下側軸係合金具２４３が取り付けられている。本実施例では、前記前面枠体Ｆ２における左側の上端に上側軸係合金具２４１、下端に下側軸係合金具２４３が取り付けられている。前記上側軸挿通孔２４２は側部に外方と通じる軸挿入用切り欠き２４２ａを有する。前記外枠体Ｆ１と前記前面枠体Ｆ２の回動可能な連結は次のようにして行われる。まず、前記下側軸係合金具２４３の下側軸挿通孔２４４に、前記外枠体Ｆ１の下側軸支持部１２２ａにおける上向きの下側上下軸部材１２２が挿通されて、前記外枠体Ｆ１の下側軸支持部１２２ａ上に前記前面枠体Ｆ２の下側軸係合金具２４３が載置され、これによって前記前面枠体Ｆ２の下側が前記外枠体Ｆ１に回動可能に連結される。一方、前記前面枠体Ｆ２の上側軸係合金具２４１の上側軸挿通孔２４２には、前記軸挿入用切り欠き２４２ａを介して前記外枠体Ｆ１の上側軸支持部１２１ａにおける下向きの上側上下軸部材１２１が挿通されて、前記外枠体Ｆ１の上側軸支持部１２２ａの下側に前記前面枠体Ｆ２の上側軸係合金具２４１が配置され、これによって前記前面枠体Ｆ２の上側が前記外枠体Ｆ１に回動可能に連結される。
【００３４】
このように、前記外枠体Ｆ１における切り欠き部１１１を前記上下軸部材１２１，１２２間に設けると共に、前記上下軸部材１２１，１２２を内向きに向かい合う軸部で構成し、前記上下軸部材１２１，１２２によって前記前面枠体Ｆ２を外枠体Ｆ１に回動可能に取り付けたことにより、前記外枠体Ｆ１の強度が前記切り欠き部１１１により低下し、前記前面枠体Ｆ２を支える前記外枠体Ｆ１に荷重がかかって外枠体Ｆ１が撓み、前記外枠体Ｆ１における上側の上下軸部材１２１が下方へ変位することがあっても、前記前面枠体Ｆ２と係合している外枠体Ｆ１における上側の上下軸部材１２１が係合解除されるのを防ぐことが可能となる。
【００３５】
前記機構板Ｆ３には、遊技の制御等のための主制御基板やサブ制御基板、表示制御基板、ランプ制御基板、音声制基板、発射制御基板、電源基板等の各種制御基板や、遊技球払出装置等の装置類が裏側等に取り付けられている。図２において、符号９０は遊技球払出装置であり、払出モータが回転することにより、回転球受け体（例えばスクリュー形式のもの）を回転し、回転球受け体の球受部に受け入れた遊技球を回転球受体の回転により球送りして１球ずつ排出する公知のものである。前記制御基板は、単独でまたは複数まとめて基板収納ケースに収納されている。符号２００Ａは主制御基板や表示制御基板等を覆う背面保護カバーである。また、符号９１は遊技店の遊技球供給装置からの遊技球を溜める球貯留タンク、９２は遊技球払出装置や発射装置等へ遊技球を誘導するための球誘導樋である。
【００３６】
遊技盤３は、前記収納部２１１へ収納可能な大きさからなり、本実施例では略正方形の板状体の前面側に遊技領域６等が形成されたものである。図１に示すように、前記遊技盤２１の前面側には、遊技球の外側ガイドレール４及び内側ガイドレール５が略円形に立設され、前記内側ガイドレール５によって囲まれた遊技領域６の中心線上にその上部から下部に向かって順に表示装置９、始動入賞口１０、特別電動役物である大入賞口１５、アウト口１７が配設され、また上方両側にはランプ風車１８ａ，１８ｂ、その下方に普通図柄変動開始用左ゲート１９及び普通図柄変動開始用右ゲート２１、その下方に左袖入賞口２３と右袖入賞口２５、さらには前記大入賞口１５の両側に左落とし入賞口２７と右落とし入賞口２９が配設されている。なお、符号２２ａ，２２ｂは風車である。以下遊技盤３における主要な部分を説明する。
【００３７】
前記表示装置９は、文字又は図柄の少なくとも何れかを表示可能なものであって、液晶，ドットマトリックス若しくはＬＥＤ表示装置等の表示装置からなり、この実施例では、液晶表示器（ＴＦＴ−ＬＣＤモジュール）で構成され、左下に普通図柄表示部４５が組み込まれ、その他の大部分が特別図柄表示部４２となっている。
【００３８】
前記特別図柄表示部４２は、判定図柄を変動表示した後、遊技の当たり外れを判定する判定手段による判定結果に基づく確定判定図柄を表示する表示手段に相当する。本実施例の特別図柄表示部４２は、左側に表示される左特別図柄（左判定図柄）と中央に表示される中特別図柄（中判定図柄）と、右側に表示される右特別図柄（右判定図柄）が、それぞれ変動表示し、所定時間変動表示した後、判定結果に基づき左確定特別図柄、中確定特別図柄、右確定特別図柄が確定判定図柄として停止表示される。なお、この実施例において変動および停止表示される左特別図柄、中特別図柄、右特別図柄は、『０，１，２，３，４，５，６，７，８，９，１０，１１』の１２通りの図柄とされている。本実施例では、遊技における大当たりの当否判定結果が大当たりの場合には、前記特別図柄表示部４２に大当たり確定特別図柄組合せ、この例では『１，１，１』（いわゆる‘１’のぞろ目）や『２，２，２』（いわゆる‘２’のぞろ目）等、同一数字の組合せ）で判定図柄が停止表示され、遊技者に有利な大当たり遊技（特別遊技）に移行する。
【００３９】
前記普通図柄表示部４５は、記号或いは絵（キャラクタ）等の小当たり判定用普通図柄を変動表示及び停止表示する。本実施例における普通図柄表示部４５に変動及び停止表示される普通図柄は、『０，１，２，３，４，５，６，７，８，９，１０，１１』の１２通りの図柄とされている。前記普通図柄は、小当たり普通図柄、この例では奇数で停止すると、小当たりとなる。
【００４０】
前記始動入賞口１０は特別図柄表示部４２の真下に設けられ、２つの可動片１０ａ，１０ｂが背面の始動入賞口用ソレノイドによって略垂直で入賞し難い狭小開放状態（通常状態）と略Ｖ字形（逆ハの字形）の入賞し易い拡開開放状態間を変化可能に制御されている。前記始動入賞口１０の可動片１０ａ，１０ｂ間が入賞（入球）領域に相当する。前記始動入賞口１０の拡開開放は、前記普通図柄表示部４５で普通図柄が変動した後特定の普通図柄（本実施例では奇数）で確定停止表示されて小当たり（普通図柄当たり）が成立した時に行われる。
【００４１】
また、前記遊技盤３の背面には、前記始動入賞口１０に入賞（入球）した遊技球を検出する始動入賞口検出スイッチ（始動入賞口センサ）が入賞球用通路に設けられており、本実施例では、前記始動入賞口検出スイッチによる入賞球の検出が、前記特別図柄（判定図柄）の変動表示開始に対する起因に設定されている。
【００４２】
前記普通図柄変動開始用左ゲート１９及び普通図柄変動開始用右ゲート２１は前記特別図柄表示部４２の左右に設けられ、前記遊技盤３の背面に設けられた普通図柄変動開始スイッチで両ゲート１９，２１を通過する遊技球を検出することによって前記普通図柄表示部４５で普通図柄の変動を開始させるようになっている。また、前記左袖入賞口２３と右袖入賞口２５の入賞球を検出する左袖入賞口用検出スイッチと右袖入賞口用検出スイッチ、前記左落とし入賞口２７と右落とし入賞口２９の入賞球を検出する左落とし入賞口用検出スイッチと右落とし入賞口用検出スイッチが、それぞれ対応する遊技盤背面に設けられている。
【００４３】
前記大入賞口１５は始動入賞口１０の下方に設けられ、前記遊技盤３の背面に設けられた大入賞口開放用ソレノイドによって開閉する開閉板１６を備えている。この大入賞口１５は、通常は開閉板１６が閉じた状態とされ、当該大入賞口１５内の一部には、該大入賞口１５が開いた際に開口して入賞可能にする特定領域入賞口１５ａを有する。さらに、該特定領域入賞口１５ａには、所定条件時に特定領域開放用ソレノイドにより開閉される開閉扉が設けられている。また、前記特定領域入賞口１５ａには特定入賞球を検出する特定入賞球検出スイッチ（特定領域センサ）が設けられ、該入賞球の検出により大入賞口１５を再度開ける継続権利が成立するようにされている。また、大入賞口１５内の略中央には、前記大入賞口１５に入賞し、かつ前記特定領域入賞口１５ａに入賞しなかった入賞球を検出する入賞球数カウントスイッチ（カウントセンサ）が設けられている。
【００４４】
前記ガラス枠Ｇは、前記前面枠体Ｆ２の開口部Ｆ２１から遊技機前面側へ露出する前記遊技領域６を透視可能なガラスＧを備えて前面枠体Ｆ２の前側に開閉可能に取り付けられている。図２の符号Ｇ１はガラス窓部であり、前記ガラス窓部Ｇ１を覆って前記ガラスＧが設けられている。
【００４５】
また、本実施例では、前記ガラス枠Ｇの前面上部には、枠飾り右ランプ３５ａ及び枠飾り左ランプ３５ｂからなるランプ装置が設けられ、下部には、前記発射装置５０へ供給するための遊技球及び払い出された遊技球を受けるための上側球受け皿３６、効果音等を発するスピーカ３８が設けられている。
【００４６】
以下に、前記遊技機１における遊技を簡単に説明する。前記発射装置５０によって遊技領域６に発射された遊技球が遊技領域６を流下する際に、前記種々の入賞口に入賞すると入賞口に応じた所定数の遊技球が賞球として上側球受け皿３６に払い出される。また、前記普通図柄変動開始用左ゲート１９及び普通図柄変動開始用右ゲート２１を遊技球が通過すると、小当たり判定・普通図柄決定用乱数値が取得され、その取得乱数値に基づいて普通図柄の当たり（小当たり）判定が行われ、前記普通図柄表示部４５で普通図柄が変動を開始し、所定時間変動後に停止する。その際、前記普通図柄の当たり判定結果が小当たりの場合には、小当たり普通図柄、この例では奇数で停止し、前記始動入賞口１０の２つの可動片１０ａ，１０ｂが背面の始動入賞口用ソレノイドによって略垂直で入賞し難い狭小開放状態（通常状態）から略Ｖ字形（逆ハの字形）の入賞し易い拡開開放状態に変化し、遊技球が入賞し易くなる。そして、前記始動入賞口１０に遊技球が入賞すると、所定数の遊技球が賞球として払い出される。
【００４７】
また、前記始動入賞口１０に遊技球が入賞すると、大当たり当否判定用乱数値及び大当たり確定特別図柄の組合せ決定用乱数値が取得され、前記取得された大当たり当否判定用乱数値に基づいて大当たりの当否判定が行われ、前記特別図柄表示部４２で特別図柄が変動を開始し、所定時間変動後に停止する。
【００４８】
前記大当たりの当否判定結果が大当たりの場合には、前記特別図柄表示部４２に大当たり確定特別図柄組合せ、この例では『１，１，１』（いわゆる‘１’のぞろ目）や『２，２，２』（いわゆる‘２’のぞろ目）等、同一数字の組合せ）で停止表示され、遊技者に有利な大当たり遊技（特別遊技）に移行する。前記大当たり遊技（特別遊技）状態になると、前記大入賞口１５の開閉板１６が開いて遊技領域６表面を落下してくる遊技球を受け止め易くして、大入賞口１５へ入賞可能にし、該大入賞口１５への入賞があると、所定数の遊技球が賞球として払い出される。前記開閉板１６は、所定時間（例えば２９．５秒）経過後、或いは入賞球数が所定個数（例えば１０個）となった時点で閉じるようにされている。また、前記大入賞口１５の開放中又は大入賞口１５が閉じてから約２秒以内に、大入賞口内の特定領域入賞口１５ａへの入賞球が検出されると、前記大当たりを再度繰り返す継続権利が発生し、所定最高回数（例えば最高１６回）、前記開閉板１６の開放を繰り返すようになっている。
【００４９】
なお、前記実施例では、前記切り欠き部１１１を前記外枠体Ｆ１の片側に設けると共に前記切り欠き部１１１に嵌合する前記突出部２１５を前記前面枠体Ｆ２の片側に設けているが、図７及び図８に示す外枠体Ｆ１Ａのように、左右の側板１０３，１０４に切り欠き部１１１Ａ，１１１Ａを設けると共に、前記切り欠き部１１１Ａ，１１１Ａと嵌合する突出部２１５Ａ，２１５Ａを前面枠体Ｆ２Ａの左右両側に形成してもよい。このように構成すれば、前記前面枠体Ｆ２Ａの遊技盤に対する収納部２１１Ａをさらに広くして、前記収納部２１１Ａに収納される遊技盤を一層広くすることが可能である。また、前記前面枠体Ｆ２Ａが前記外枠体Ｆ１Ａに対し回動して、前記突出部２１５Ａ，２１５Ａが前記切り欠き部１１１Ａ，１１１Ａに嵌合した際に前記外枠体Ｆ１Ａと係合する鍵部材２３０Ａを、前記前面枠体Ｆ２Ａにおける収納部２１１Ａの周囲に配置すると共に、一方の切り欠き部１１１Ａ内に位置するように構成してもよい。このように鍵部材２３０Ａを配置すれば、前記遊技盤に対する収納部２１１Ａをより広く構成することが可能となる。符号２３１Ａは鍵孔である。符号２１３Ａは、前記収納部２１１Ａにおいて遊技盤の周囲の少なくとも一部を包囲する壁部であり、その一部が前記突出部２１５Ａを構成している。なお、図７及び図８に示す例における他の構成は図１から図６と同様である。
【００５０】
なお、本実施例の遊技機を請求項１とは異なる表現で表すと、以下のようになる。
遊技領域を有する遊技盤と、
前記遊技盤を収納可能な前面枠体と、
前記前面枠体が回動可能に固定された外枠体と、
を備えた遊技機において、
前記外枠体は周囲を囲むように上下側板と左右側板とで少なくとも構成されると共に、遊技機前面側より遊技機背面側へ向けて段差状に切り欠かれた切り欠き部を前記側板に有し、
前記前面枠体は、前記外枠体の前面側より重なって配置されると共に背面側方向に突出した突出部で形成された遊技盤の収納部を有し、
前記突出部の少なくとも一部は遊技機背面側に向けて前記切り欠き部の開口を塞ぐように前記切り欠き部内に配置されていることを特徴とする遊技機。
また、前記突出部は前記の切り欠き部の遊技機外方側の開口、すなわち前記切り欠き部による開口部分において側板の外面側の部分を塞ぐように切り欠き部内に配置される。
【００５１】
本発明は、前記の実施例に限定されるものではなく、本発明の趣旨を逸脱しない範囲で変更可能である。例えば、前記切り欠きは遊技機の左側に限られず右側でもあるいは上下の何れでもよい。さらに、遊技機はパチンコ遊技機に限られるものでもない。
【図面の簡単な説明】
【００５２】
【図１】本発明の一実施例に係る遊技機について遊技盤の釘を省略して示す正面図である。
【図２】同遊技機の斜視図である。
【図３】同遊技機の分解斜視図である。
【図４】同遊技機においてガラス枠を除いた状態を示す斜視図である。
【図５】同遊技機の前面枠体開放状態を示す斜視図である。
【図６】同遊技機の外枠体と前面枠体を示す斜視図である。
【図７】切り欠き部を両側に設けた例の外枠体と前面枠体を示す斜視図である。
【図８】切り欠き部を両側に設けた例の前面枠体開放状態を示す斜視図である。
【符号の説明】
【００５３】
１  遊技機
Ｆ１，Ｆ１Ａ  外枠体
Ｆ２，Ｆ２Ａ  前面枠体
Ｆ３  機構板
Ｇ  ガラス枠
３  遊技盤
６  遊技領域
９  表示装置
５０  発射装置
１１１，１１１Ａ  切り欠き部
２１１，２１１Ａ  収納部
２１５，２１５Ａ  突出部
【図１】
2009082410.tif 000003
【図２】
2009082410.tif 000004
【図３】
2009082410.tif 000005
【図４】
2009082410.tif 000006
【図５】
2009082410.tif 000007
【図６】
2009082410.tif 000008
【図７】
2009082410.tif 000009
【図８】
2009082410.tif 000010